(57)【要約】      （修正有）【課題】バリエーションが豊富で、装飾性に優れ、かつ生産性が良く、低価格化を図ることができる装飾部材、文字板、および時計を提供する。【解決手段】複数の副表示部１１および複数の表示マーク部１４が上面に設けられた透明なベースパネル１０と、このベースパネル１０の下面に重なり合う状態で配置され、かつ貝または貴石によって薄板状に形成された装飾パネル１５と、を備えている。従って、透明なベースパネル１０を通して装飾パネル１５をベースパネル１０の上面側から見ることができるので、装飾パネル１５の風合いによる装飾性を確保できる。また、ベースパネル１０に複雑な形状の複数の副表示部１１を容易に形成できるので、バリエーションが豊富になり、かつ高価で割れ易い装飾パネル１５をほとんど加工せずに、ベースパネル１０を加工するだけで良いので、生産性が良く、低価格化を図ることができる。【選択図】図３
2020030215.tif 000002
【特許請求の範囲】
【請求項１】
複数の表示領域が表面に設けられた光透過性を有するベースパネルと、
前記ベースパネルの裏面に重なり合う状態で配置され、かつ貝または貴石によって薄板状に形成された装飾パネルと、
を備えていることを特徴とする装飾部材。
【請求項２】
請求項１に記載の装飾部材において、前記複数の表示領域は、複数の副表示部または前記ベースパネルの周縁部にその円周方向に沿って等間隔で設けられた複数の表示マーク部を備えていることを特徴とする装飾部材。
【請求項３】
請求項１または請求項２に記載の装飾部材において、前記ベースパネルの表面には、多数の微細な溝または多数の微細な凹凸によって模様を表現する装飾層が設けられていることを特徴とする装飾部材。
【請求項４】
請求項１〜請求項３のいずれかに記載の装飾部材において、前記装飾パネルの表裏面のうち、少なくとも一方の面には、加色層が設けられていることを特徴とする装飾部材。
【請求項５】
請求項１〜請求項４のいずれかに記載の装飾部材において、前記装飾パネルは、前記ベースパネルの裏面に粘着シートによって接着されていることを特徴とする装飾部材。
【請求項６】
請求項２〜請求項５のいずれかに記載の装飾部材において、前記表示マーク部は、前記ベースパネルの表面から突出するマーク本体と、前記マーク本体の裏面に設けられて前記ベースパネルに設けられた嵌合部に嵌着する取付部と、を備え、前記取付部は、前記ベースパネルの下面から突出しないことを特徴とする装飾部材。
【請求項７】
請求項２〜請求項５のいずれかに記載の装飾部材において、前記表示マーク部は、前記ベースパネルにその表面から突出した状態で一体に形成されていることを特徴とする装飾部材。
【請求項８】
請求項２〜請求項７のいずれかに記載の装飾部材において、前記副表示部は、前記ベースパネルにリング状部が前記ベースパネルの表面から突出した状態で一体に形成されていることを特徴とする装飾部材。
【請求項９】
請求項１〜請求項４、請求項６〜請求項８のいずれかに記載された装飾部材において、前記装飾パネルは、インサート成型によって前記ベースパネルに一体に形成されていることを特徴とする装飾部材。
【請求項１０】
請求項１〜請求項９のいずれかに記載された装飾部材を備えていることを特徴とする文字板。
【請求項１１】
請求項１０に記載された文字板を備えていることを特徴とする時計。
【請求項１２】
請求項１１に記載された時計において、前記文字板は、その中心に設けられて指針軸が挿入する軸孔と、前記複数の副表示部の中心にそれぞれ設けられて副針軸が挿入する複数の軸孔と、を備え、前記表示マーク部は、前記文字板の周縁部に沿って等間隔で設けられた時字であることを特徴とする時計。
【発明の詳細な説明】
【技術分野】
【０００１】
この発明は、時計や計器類、電子機器、あるいは置物などに用いられる装飾部材、それを用いた文字板、およびそれを備えた時計に関する。
【背景技術】
【０００２】
例えば、腕時計においては、特許文献１に記載されているように、ベース部材の上面に貝で構成された薄板状の装飾パネルを設けることにより、装飾部材を構成し、この装飾部材を文字板として用いたものが知られる。
【先行技術文献】
【特許文献】
【０００３】
【特許文献１】特開２００７−２７８７３７号公報
【発明の概要】
【発明が解決しようとする課題】
【０００４】
このような腕時計の文字板としての装飾部材は、装飾性を高めるため、貝で構成された装飾パネルに凹部や開口部を設けているが、貝で構成された装飾パネルは、割れ易いため、エッチングによる加工やレーザ光線による加工によって凹部や開口部を設けている。このため、このような装飾部材では、その加工が難しく面倒であるため、文字板としてのバリエーションに乏しく、生産性が悪く、高価なものになるという問題がある。
【０００５】
この発明が解決しようとする課題は、バリエーションが豊富で、装飾性に優れ、かつ生産性が良く、低価格化を図ることができる装飾部材、それを用いた文字板、およびそれを備えた時計を提供することである。
【課題を解決するための手段】
【０００６】
この発明は、複数の表示領域が表面に設けられた光透過性を有するベースパネルと、前記ベースパネルの裏面に重なり合う状態で配置され、かつ貝または貴石によって薄板状に形成された装飾パネルと、を備えていることを特徴とする装飾部材である。
【発明の効果】
【０００７】
この発明によれば、ベースパネルの裏面に装飾パネルを設けても、光透過性を有するベースパネルを通して、装飾パネルをベースパネルの表面側から見ることができるので、装飾パネルの風合いによる装飾性を確保することができる。また、ベースパネルに複雑な形状の複数の表示領域を容易に形成することができるので、バリエーションが豊富になり、かつ高価で割れ易い装飾パネルをほとんど加工せずに、ベースパネルを加工するだけで良いので、生産性が良く、低価格化を図ることができる。
【図面の簡単な説明】
【０００８】
【図１】この発明を腕時計に適用した第１実施形態を示した拡大正面図である。
【図２】図１に示された腕時計に組み込まれる時計モジュールの文字板を示した拡大正面図である。
【図３】図２に示された時計モジュールの文字板のＡ−Ａ矢視における拡大断面図である。
【図４】図３に示された文字板の装飾パネルを示した拡大正面図である。
【図５】図３に示された文字板における表示マーク部を示した要部の拡大断面図である。
【図６】図５に示された第１実施形態における表示マーク部の変形例を示した要部の拡大断面図である。
【図７】この発明を腕時計の文字板に適用した第２実施形態を示した要部の拡大断面図である。
【図８】この発明を腕時計の文字板に適用した第３実施形態を示した要部の拡大断面図である。
【図９】この発明を腕時計の文字板に適用した第４実施形態を示した要部の拡大断面図である。
【発明を実施するための形態】
【０００９】
（第１実施形態）
以下、図１〜図５を参照して、この発明を指針式の腕時計に適用した第１実施形態について説明する。
この腕時計は、図１に示すように、腕時計ケース１を備えている。この腕時計ケース１の１２時側と６時側とには、時計バンド（図示せず）が取り付けられるバンド取付部２がそれぞれ設けられている。また、この腕時計ケース１の２時側、３時側、４時側、および８時側には、スイッチ部３がそれぞれ設けられている。
【００１０】
また、この腕時計ケース１の内部には、図１〜図３に示すように、時計モジュール４が設けられている。この時計モジュール４は、図３に２点鎖線で示すように、ハウジング５を備えている。このハウジング５の上部には、後述する文字板６が設けられている。また、このハウジング５内には、図示しないが、複数の時計ムーブメントおよびこれら複数の時計ムーブメント駆動するための回路基板などの時計機能に必要な各種の部品が設けられている。
【００１１】
この場合、複数の時計ムーブメントのうち、１つの時計ムーブメントは、図１に示すように、秒針、分針、時針などの指針７を文字板６の上方で運針させると共に、日車（図示せず）を駆動するように構成されている。他の時計ムーブメントは、第１の副針８ａおよび第２の副針８ｂを文字板６の上方で運針させるように構成されている。更に他の時計ムーブメントは、第３の副針９を文字板６の上方で運針させるように構成されている。
【００１２】
ところで、文字板６は、装飾部材を兼ねるものであり、図１〜図４に示すように、複数の副表示部１１〜１３および時字を表す複数の表示マーク部１４が設けられた光透過性を有するベースパネル１０と、このベースパネル１０の下面に重なり合う状態で配置される装飾パネル１５と、を備えている。ベースパネル１０は、ポリカーボネートなどの透明な合成樹脂によってほぼ円板状に形成されている。装飾パネル１５は、貝または貴石によって、ベースパネル１０とほぼ同じ大きさの円形の薄板状に形成されている。
【００１３】
ベースパネル１０は、図３に示すように、その光透過率が約９０％に形成されており、装飾パネル１５は、その光透過率が約５０％の薄板状に形成されている。これにより、装飾パネル１５は、ベースパネル１０の下面に配置されていても、ベースパネル１０の上方から見えるように構成されている。
【００１４】
この場合、ベースパネル１０の中心部と装飾パネル１５の中心部には、図１〜図４に示すように、指針７が取り付けられた指針軸（図示せず）が挿入する第１の軸孔１６が互いに対応した状態で上下に貫通して設けられている。また、ベースパネル１０の周縁部おける４時と５時との間、および装飾パネル１５の周縁部おける４時と５時との間には、日付を表示するための四角形状の日付窓孔１７が互いに対応した状態で上下に貫通して設けられている。
【００１５】
また、ベースパネル１０の上面には、図１〜図３に示すように、複数の副表示部１１〜１３と、時字である複数の表示マーク部１４とが設けられている。複数の副表示部１１〜１３のうち、第１の副表示部１１は、例えば世界の各都市のいずれかの都市の時刻を表すワードタイム表示部であり、ベースパネル１０の中心と外周側の３時との間に第１リング部１８が設けられ、この第１リング部１８の領域内で第１の副針８ａが運針するように構成されている。
【００１６】
この場合、第１リング部１８は、図１〜図３に示すように、その外周端が高く、内周端に向けて次第に低くなる断面ほぼ山形状をなし、ベースパネル１０の上面から突出した状態で一体に形成されている。これにより、第１リング部１８は、全体がほぼすり鉢形状をなすように形成されている。この第１リング部１８の上面には、装飾性を高めるための金属板１９が設けられている。この金属板１９は、その上面に目盛が施された目盛板である。
【００１７】
この第１リング部１８で囲われたベースパネル１０の上面における一部には、図１〜図３に示すように、多数の微細な溝によってヘアライン模様を表現する装飾層２０が設けられている。また、第１の副針８ａは、図１に示すように、分針、時針などの副針であり、これらが第１の副針軸（図示せず）に取り付けられ、この状態で第１リング部１８の領域内を運針するように構成されている。
【００１８】
この場合、第１リング部１８の中心に位置するベースパネル１０の箇所と、第１リング部１８の中心に対応する装飾パネル１５の箇所とには、図２〜図４に示すように、第１の副針軸（図示せず）が挿入する第２の軸孔２１ａが互いに対応した状態で上下に貫通して設けられている。
【００１９】
また、複数の副表示部１１〜１３のうち、第２の副表示部１２は、図１および図２に示すように、例えば午前と午後との時間を表す昼夜表示領域であり、第１の副表示部１１の７時側に位置する外周側とベースパネル１０の５時側に位置する外周側との間に小円形状に設けられ、この小円形状の領域内で第２の副針８ｂが運針するように構成されている。この第２の副表示部１２には、午後の時間を表す半円弧状の午後表示マーク１２ａが設けられている。
【００２０】
この場合にも、第２の副表示部１２の中心に位置するベースパネル１０の箇所と、第２の副表示部１２の中心に対応する装飾パネル１５の箇所とには、図２および図４に示すように、第２の副針軸（図示せず）が挿入する第３の軸孔２１ｂが互いに対応した状態で上下に貫通して設けられている。
【００２１】
さらに、複数の副表示部１１〜１３のうち、第３の副表示部１３は、図１および図２に示すように、例えば曜日やモードを表す機能表示領域であり、ベースパネル１０の中心と外周側の８時との間に円形状に設けられ、この円形状の領域内で第３の副針９が運針するように構成されている。この第３の副表示部１３には、機能表示のうちの曜日を表す半円弧状の曜日表示部２２が設けられている。
【００２２】
この半円弧状の曜日表示部２２は、図１および図２に示すように、第１リング部１８と同様、その外周端が高く、内周端に向けて次第に低くなる断面ほぼ山形状をなし、ベースパネル１０の上面から突出した状態で一体に形成されている。この半円弧状の曜日表示部２２の上面には、装飾性を高めるための金属板２２ａが設けられている。この金属板２２ａは、その上面に曜日が表示された曜日板である。
【００２３】
また、この場合にも、第３の副表示部１３の中心に位置するベースパネル１０の箇所と、この第３の副表示部１３の中心に対応する装飾パネル１５の箇所とには、図２および図４に示すように、第３の副針軸（図示せず）が挿入する第４の軸孔２３が互いに対応した状態で上下に貫通して設けられている。
【００２４】
一方、時字である複数の表示マーク部１４は、図１〜図３に示すように、ベースパネル１０の周縁部にその円周方向に沿って等間隔で設けられている。この表示マーク部１４は、図５に示すように、合成樹脂で形成され、ベースパネル１０の上面から上方に突出するマーク本体１４ａと、このマーク本体１４ａの下面に設けられてベースパネル１０に設けられた嵌合凹部１０ａに嵌着する取付突起部１４ｂと、を有している。
【００２５】
この場合、ベースパネル１０の嵌合凹部１０ａは、図５に示すように、その深さがベースパネル１０の厚みのほぼ半分程度の深さで形成され、ベースパネル１０の放射方向の長さが表示マーク部１４のマーク本体１４ａの長さよりも短く形成されている。表示マーク部１４の取付突起部１４ｂは、マーク本体１４ａの下面から突出する長さがベースパネル１０の嵌合凹部１０ａの深さとほぼ同じで、長手方向の長さがベースパネル１０の嵌合凹部１０ａの放射方向における長さとほぼ同じ長さに形成されている。
【００２６】
これにより、表示マーク部１４の取付突起部１４ｂは、図５に示すように、ベースパネル１０の下面から突出することなく、かつ装飾パネル１５の上面に接することなく形成されている。このため、表示マーク部１４は、取付突起部１４ｂがベースパネル１０の嵌合凹部１０ａ内に嵌着されて、マーク本体部１４ａがベースパネル１０の上面から上方に突出し、この状態で取付突起部１４ｂがベースパネル１０の嵌合凹部１０ａ内にレーザ光線によって溶着されて固定されるように構成されている。
【００２７】
ところで、ベースパネル１０の外周部には、図２に示すように、ハウジング５上にベースパネル１０を位置決めするための位置決め突起部２４が外周から突出して設けられている。また、装飾パネル１５の外周部にも、図４に示すように、ハウジング５上に装飾パネル１５を位置決めすると共に、ベースパネル１０に対しても位置決めするための位置決め突起部２５が、ベースパネル１０の位置決め突起部２４に対応して設けられている。
【００２８】
このため、文字板６は、図２〜図４に示すように、ベースパネル１０の下面に装飾パネル１５を重ね合わせた状態で配置する際に、ベースパネル１０の位置決め突起部２４と装飾パネル１５の位置決め突起部２５とを互いに重ね合わせることにより、ベースパネル１０と装飾パネル１５とが互いに位置決めされるように構成されている。
【００２９】
これにより、文字板６は、図２〜図４に示すように、ベースパネル１０と装飾パネル１５とにそれぞれ設けられた第１の軸孔１６、日付窓孔１７、第２の軸孔２１ａ、第３の軸孔２１ｂ、および第４の軸孔２３がそれぞれ上下に対応して、各孔中心がそれぞれ一致するように構成されている。
【００３０】
次に、このような文字板６を腕時計ケース１内に組み込む場合について説明する。
この場合には、予め、文字板６のベースパネル１０と装飾パネル１５を製作する。すなわち、ベースパネル１０を製作する際には、成型用金型によって製作することにより、ベースパネル１０の上面に第１〜第３の副表示部１１〜１３が形成される共に、ベースパネル１０に第１の軸孔１６、日付窓孔１７、第２の軸孔２１ａ、第３の軸孔２１ｂ、および第４の軸孔２３が形成される。
【００３１】
この場合には、第１の副表示部１１に第１リング部１８が断面ほぼ山形状に形成されており、この第１リング部１８の上面に目盛板である金属板１９を取り付ける。また、第２の副表示部１２に午後表示マーク１２ａを印刷などによって設ける。さらに、第３の副表示部１３には半円弧状の曜日表示部２２が設けられており、この曜日表示部２２の上面にも曜日表示板である金属板２２ａを取り付ける。
【００３２】
また、ベースパネル１０を成型用金型によって製作した場合には、第１の副表示部１１の領域内におけるベースパネル１０の上面に多数の微細な溝の装飾層２０が形成されると共に、ベースパネル１０の周縁部に時字の表示マーク部１４を取り付けるための嵌合凹部１０ａが形成されるほか、ベースパネル１０の外周部に位置決め突起部２４が形成される。この状態で、ベースパネル１０の嵌合凹部１０ａに表示マーク部１４を取り付ける。
【００３３】
このときには、表示マーク部１４の取付突起部１４ｂをベースパネル１０の嵌合凹部１０ａに嵌め込み、この状態で取付突起部１４ｂを嵌合凹部１０ａにレーザ光線で溶融させて固着する。これにより、図２および図３に示すように、ベースパネル１０が製作される。
【００３４】
また、装飾パネル１５を製作する場合には、貝や貴石をベースパネル１０と同じ大きさの薄板状に切り出し、これに第１の軸孔１６、日付窓孔１７、第２の軸孔２１ａ、第３の軸孔２１ｂ、および第４の軸孔２３を切削加工によって形成すると共に、その外周部に位置決め突起部２５を形成する。これにより、図４に示すように、装飾パネル１５が製作される。
【００３５】
そして、ベースパネル１０と装飾パネル１５とを文字板６として腕時計ケース１に組み込む場合には、ベースパネル１０の下面に装飾パネル１５を重ね合わせ、この状態でベースパネル１０の位置決め突起部２４と装飾パネル１５の位置決め突起部２５とを互いに重ね合わせて、ベースパネル１０と装飾パネル１５とを相互に位置決めする。これにより、文字板６が構成される。
【００３６】
この場合には、ベースパネル１０の位置決め突起部２４と装飾パネル１５の位置決め突起部２５とによって位置決めされることにより、ベースパネル１０と装飾パネル１５とにそれぞれ設けられた第１の軸孔１６、日付窓孔１７、第２の軸孔２１ａ、第３の軸孔２１ｂ、および第４の軸孔２３がそれぞれ上下に対応して、各孔中心がそれぞれ一致する。
【００３７】
そして、この文字板６を時計モジュール４のハウジング５上に配置する。このときには、ベースパネル１０の位置決め突起部２４と装飾パネル１５の位置決め突起部２５とによって、ハウジング５上に位置決めする。また、このときには、ベースパネル１０の下面に装飾パネル１５を接着する必要がなく、ハウジング５上にベースパネル１０と装飾パネル１５とが位置決めされて配置される。
【００３８】
この状態では、第１の軸孔１６に指針７の指針軸（図示せず）が下側から挿入されると共に、日付窓孔１７の下側に日車（図示せず）が配置される。また、このときには、第２の軸孔２１ａに第１の副針８ａが取り付けられる第１の副針軸（図示せず）が下側から挿入されると共に、第３の軸孔２１ｂに第２の副針８ｂが取り付けられる第２の副針軸（図示せず）が下側から挿入される。
【００３９】
さらに、第４の軸孔２３に第３の副針９が取り付けられる第３の副針軸（図示せず）が下側から挿入される。この状態で、時計モジュール４を腕時計ケース１内に配置する。これにより、図１に示すように、ベースパネル１０の下面に装飾パネル１５が配置された文字板６が腕時計ケース１内に組み込まれる。
【００４０】
このように、この腕時計の文字板６によれば、複数の副表示部１１〜１３および複数の表示マーク部１４が上面に設けられた透明なベースパネル１０と、このベースパネル１０の下面に重なり合う状態で配置され、かつ貝または貴石によって薄板状に形成された装飾パネル１５と、を備えていることにより、バリエーションが豊富で、装飾性に優れ、かつ生産性が良く、低価格化を図ることができる。
【００４１】
すなわち、この腕時計の文字板６では、ベースパネル１０の下面に装飾パネル１５を設けても、透明なベースパネル１０を通して、装飾パネル１５をベースパネル１０の上面側から見ることができるので、この装飾パネル１５によって貝や貴石の風合いを表現することができ、これによりベースパネル１０が合成樹脂であっても、装飾パネル１５による装飾性を確保することができ、これにより文字板６全体の装飾性を高めることができる。
【００４２】
また、この文字板では、ベースパネル１０に複雑な形状の複数の副表示部１１〜１３および複数の表示マーク部１４を容易に設けることができるので、バリエーションが豊富になり、かつ高価で割れ易い装飾パネル１５をほとんど加工せずに、ベースパネル１０を加工するだけで良いので、生産性が良く、低価格化を図ることができる。
【００４３】
また、ベースパネル１０の複数の表示領域は、円形状の複数の副表示部１１〜１３およびベースパネル１０の周縁部にその円周方向に沿って等間隔で設けられた時字である複数の表示マーク部１４を有していることにより、これら複数の副表示部１１〜１３および時字である複数の表示マーク部１４が複雑な形状であっても、これらをベースパネル１０に簡単にかつ容易に設けることができる。
【００４４】
このため、これら複数の副表示部１１〜１３および時字である複数の表示マーク部１４をベースパネル１０に設けても、装飾パネル１５にほとんど加工を施す必要ないので、高価で割れ易い装飾パネル１５を容易に製作することができ、これにより文字板６の生産性が良く、文字板６の低価格化を図ることができる。
【００４５】
すなわち、表示マーク部１４は、ベースパネル１０の上面から突出するマーク本体１４ａと、このマーク本体１４ａの下面に設けられてベースパネル１０に設けられた嵌合凹部１０ａに嵌着する取付突起部１４ｂと、を有していることにより、装飾パネル１５に全く加工を施す必要なく、ベースパネル１０に嵌合凹部１０ａを設けるだけで良いので、ベースパネル１０の構造が簡単で、容易に製作することができる。
【００４６】
この場合、ベースパネル１０の嵌合凹部１０ａはその深さがベースパネル１０の厚みの半分程度であり、この嵌合凹部１０ａに表示マーク部１４の取付突起部１４ｂを嵌め込み、この状態でレーザ光線によって溶着させて固定するだけで良いので、表示マーク部１４をベースパネル１０に確実にかつ強固に固定することができ、また表示マーク部１４のマーク本体１４ａをベースパネル１０の上面から突出させることができるので、時字である複数の表示マーク部１４を立体的に表現することができる。
【００４７】
また、複数の副表示部１１〜１３のうち、第１の副表示部１１には、ベースパネル１０の上面から突出する断面ほぼ山形状の第１リング部１８が一体に形成されているので、この断面ほぼ山形状の第１リング部１８によって第１の副表示部１１を立体的に表現することができると共に、第１の副表示部１１を見やすくすることができる。この場合、第１リング部１８の上面には目盛が施された金属板１９が設けられていることにより、この金属板１９によっても装飾性を高めることができる。
【００４８】
また、複数の副表示部１１〜１３のうち、第３の副表示部１３には、ベースパネル１０の上面から突出する断面ほぼ山形状をなす半円弧状の曜日表示部２２が一体に形成されているので、この断面ほぼ山形状をなす半円弧状の曜日表示部２２によって第３の副表示部１３を立体的に表現することができると共に、第３の副表示部１３を見やすくすることができる。この場合にも、曜日表示部２２の上面には曜日が施された金属板２２ａが設けられていることにより、この金属板２２ａによっても装飾性を高めることができる。
【００４９】
また、ベースパネル１０の上面には、多数の微細な溝によってヘアライン模様を表現する装飾層２０が設けられていることにより、この装飾層２０によって装飾パネル１５の装飾効果を付加することができる。すなわち、装飾層２０は多数の微細な溝によってヘアライン模様を表現することができると共に、この装飾層２０を通して装飾パネル１５を見ることができるので、装飾パネル１５の風合いによる装飾性にヘアライン模様の装飾を付加することができ、より一層、装飾性を高めることができる。
【００５０】
この場合、装飾層２０は、第１の副表示部１１における第１リング部１８内の一部に形成されているが、ベースパネル１０の第１リング部１８内における全域に設けても良く、また装飾層２０は、多数の微細な溝によるヘアライン模様に限らず、例えば多数の微細な凹凸による梨地模様を表現するようにしても良い。
【００５１】
なお、上述した第１実施形態では、時字である複数の表示マーク部１４が、マーク本体１４ａと、このマーク本体１４ａの下面に設けられた取付突起部１４ｂとを有し、この取付突起部１４ｂがベースパネル１０に設けられた嵌合凹部１０ａに嵌め込まれて溶着固定されている場合について述べたが、この発明はこれに限らず、例えば図６に示す変形例のように構成しても良い。
【００５２】
すなわち、この変形例は、図６に示すように、表示マーク部１４のマーク本体１４ａの下面に２本の足ピン１４ｃを形成し、これら２本の足ピン１４ｃをベースパネル１０に設けられた２つの嵌合孔１０ｂに挿入させるように構成しても良い。この場合には、足ピン１４ｃの長さをベースパネル１０の厚みと同じか、それよりも少し短く形成し、ベースパネル１０の２つの嵌合孔１０ｂをベースパネル１０の上下に貫通させて設ければ良い。表示マーク部１４のマーク本体１４ａの２本の足ピン１４ｃは、ベースパネル１０の下面から突出することなく、かつ装飾パネル１５の上面に接することなく形成されている。
【００５３】
このように、時字である複数の表示マーク部１４を構成しても、この表示マーク部１４の２本の足ピン１４ｃをベースパネル１０の２つの嵌合孔１０ｂに嵌着させてレーザ光線で溶融させて固着させることにより、確実にかつ強固に取り付けることができる。また、この場合にも、装飾パネル１５に足ピン１４ｃが挿入する孔を設ける必要がないので、第１実施形態と同様、生産性が良く、低価格化を図ることができる。
【００５４】
（第２実施形態）
次に、図７を参照して、この発明を腕時計に適用した第２実施形態について説明する。なお、図１〜図５に示された第１実施形態と同一部分には同一符号を付して説明する。
この腕時計の文字板３０は、図７に示すように、ベースパネル１０と装飾パネル１５との間に加色層３１を設けた構成であり、これ以外は第１実施形態と同様に構成されている。
【００５５】
すなわち、加色層３１は、図７に示すように、単一色または複数の色をベースパネル１０の下面、または装飾パネル１５の上面に、印刷によって光を透過する薄膜状に形成されている。これにより、この加色層３１は、その上側に位置するベースパネル１０を加色すると共に、その下側に位置する装飾パネル１５を加色するほか、この加色された装飾パネル１５がベースパネル１０の上方から見えるように構成されている。
【００５６】
このような文字板３０では、第１実施形態と同様の作用効果があるほか、ベースパネル１０と装飾パネル１５との間に設けられた加色層３１によって、その上側に位置するベースパネル１０を加色することができると共に、その下側に位置する装飾パネル１５を加色することができる。この場合、加色層３１は、光を透過する薄膜状に形成されているので、この加色層３１によって加色された装飾パネル１５をベースパネル１０の上方から見ることができるので、第１実施形態よりも、装飾性を高めることができる。
【００５７】
なお、上述した第２実施形態では、加色層３１をベースパネル１０と装飾パネル１５との間に設けた場合について述べたが、この発明はこれに限らず、装飾パネル１５の下面に加色層３１を印刷によって設けた構成でも良い。この場合には、装飾パネル１５が光透過性を有するので、装飾パネル１５を通して加色層３１が透けて見えることにより、装飾パネル１５の下面に設けられた加色層３１によっても装飾パネル１５を加色することができる。
【００５８】
（第３実施形態）
次に、図８を参照して、この発明を腕時計に適用した第３実施形態について説明する。この場合にも、図１〜図５に示された第１実施形態と同一部分には同一符号を付して説明する。
この腕時計の文字板３５は、図８に示すように、ベースパネル１０と装飾パネル１５とを粘着シート３６で接着し、かつベースパネル１０の上面に装飾層３７を設けた構成であり、これ以外は第１実施形態とほぼ同様に構成されている。
【００５９】
この場合、粘着シート３６は、光透過性の高い透明な両面接着テープであり、図８に示すように、ベースパネル１０の下面と装飾パネル１５の上面とを接着するように構成されている。また、装飾層３７は、多数の微細な溝によるアライン模様、または多数の微細な凹凸による梨地模様を表現するものであり、ベースパネル１０の上面におけるほぼ全域に亘って設けられている。
【００６０】
このような文字板３５によれば、第１実施形態と同様の作用効果があるほか、ベースパネル１０と装飾パネル１５とを粘着シート３６によって接着した構成であるから、文字板３５を組み立てて時計モジュール４に組み付ける際に、ベースパネル１０と装飾パネル１５とを個別に組み付ける必要がないので、組立作業性の向上を図ることができる。また、粘着シート３６により装飾パネル１５への耐衝撃性も付与される。
【００６１】
この場合、ベースパネル１０と装飾パネル１５とを粘着シート３６によって接着しても、粘着シート３６が光透過性の高い透明な両面接着テープであることにより、装飾パネル１５の上側に粘着シート３６が設けられていても、装飾パネル１５をベースパネル１０の上方から良好に見ることができる。
【００６２】
また、この文字板３５では、ベースパネル１０の上面におけるほぼ全域に亘って設けられた装飾層３７によって、装飾パネル１５全体の装飾効果を高めることができる。すなわち、装飾層３７は、例えば多数の微細な溝であれば、ヘアライン模様を表現することができるので、このヘアライン模様によってベースパネル１０を装飾することができると共に、このヘアライン模様の装飾層３７を通して装飾パネル１５を見ることができ、これにより装飾パネル１５にヘアライン模様を付加することができる。
【００６３】
また、装飾層３７は、例えば多数の微細な凹凸であれば、梨地模様を表現することができるので、この梨地模様によってベースパネル１０を装飾することができると共に、この梨地模様の装飾層３７を通して装飾パネル１５を見ることができ、これにより装飾パネル１５に梨地模様を付加することができる。
【００６４】
この場合、ベースパネル１０の上面に、多数の微細な溝によるヘアライン模様と多数の微細な凹凸による梨地模様とを組み合わせて設けても良い。例えば、多数の微細な溝によるヘアライン模様を複数の副表示部１１〜１３に対応するベースパネル１０の上面に設け、これ以外のベースパネル１０の上面全域に多数の微細な凹凸による梨地模様を設けても良い。
【００６５】
また、例えば、多数の微細な凹凸による梨地模様を複数の副表示部１１〜１３に対応するベースパネル１０の上面に設け、これ以外のベースパネル１０の上面全域に多数の微細な溝によるヘアライン模様を設けても良い。このように構成すれば、より一層、装飾性を高めることができ、商品価値の高いものを提供することができる。
【００６６】
（第４実施形態）
次に、図９を参照して、この発明を腕時計に適用した第４実施形態について説明する。この場合にも、図１〜図５に示された第１実施形態と同一部分には同一符号を付して説明する。
この腕時計の文字板４０は、図９に示すように、装飾パネル１５をベースパネル１０と一体に形成した構成であり、これ以外は第１実施形態とほぼ同様に構成されている。
【００６７】
すなわち、この装飾パネル１５は、図９に示すように、ベースパネル１０を成型用金型（図示せず）で成型する際に、インサート成型によってベースパネル１０と一体に形成されるように構成されている。この場合には、予め、装飾パネル１５を貝または貴石によって薄板状に形成し、この装飾パネル１５に第１の軸孔１６、日付窓孔１７、第２の軸孔２１ａ、第３の軸孔２１ｂ、および第４の軸孔２３を切削加工によって形成する。
【００６８】
そして、ベースパネル１０を成型用金型で成型する際には、第１の軸孔１６、日付窓孔１７、第２の軸孔２１ａ、第３の軸孔２１ｂ、および第４の軸孔２３が形成された装飾パネル１５を、成型用金型内に配置し、この状態で成型用金型内に樹脂を注入してベースパネル１０を成型する。これにより、装飾パネル１５がインサート成型によってベースパネル１０に一体に形成される。
【００６９】
このような文字板４０によれば、第１実施形態と同様の作用効果があるほか、装飾パネル１５がインサート成型によってベースパネル１０と一体に形成されていることにより、ベースパネル１０によって装飾パネル１５を良好に保護することができると共に、装飾パネル１５の強度を確保することができる。
【００７０】
また、この文字板４０では、第３実施形態のように粘着シート３６でベースパネル１０に装飾パネル１５を貼り付ける必要がないので、部品点数を削減することができると共に、組立作業の簡素化を図ることができ、より一層、生産性を向上させることができると共に、更なる低価格を図ることができる。
【００７１】
なお、上述した第１〜第４の実施形態では、時字である複数の表示マーク部１４を個別に製作してベースパネル１０に取り付ける場合について述べたが、この発明はこれに限らず、例えばベースパネル１０に表示マーク部１４を一体に形成した構成であっても良い。このように構成すれば、より一層、部品点数を削減することができると共に、組立作業の簡素化を図ることができるので、更なる生産性の向上を図ることができる。
【００７２】
また、上述した第１〜第４の実施形態では、第１リング部１８がベースパネル１０の上面から突出した状態で一体に形成されている場合について述べたが、この発明はこれに限らず、時字である複数の表示マーク部１４と同様に別部材で製作して、本体の下面に取付突起部や複数の足ピンを形成してベースパネル１０に取り付ける構成であっても良い。この場合も第１リング部１８の取付突起部や複数の足ピンは、ベースパネル１０の下面から突出することなく、かつ装飾パネル１５の上面に接することなく形成されていれば良い。
【００７３】
また、上述した第１〜第４の実施形態では、指針式の腕時計に適用した場合について述べたが、この発明は必ずしも腕時計である必要はなく、例えばトラベルウオッチ、目覚まし時計、置き時計、掛け時計などの各種の時計に適用することができる。また、この発明は、必ずしも時計である必要はなく、メータなどの計器類や携帯型の電子機器に適用することができるほか、文字板６、３０、３５、４０を装飾部材として用いることにより、置物などにも適用することができる。
【００７４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７５】
（付記）
請求項１に記載の発明は、複数の表示領域が表面に設けられた光透過性を有するベースパネルと、前記ベースパネルの裏面に重なり合う状態で配置され、かつ貝または貴石によって薄板状に形成された装飾パネルと、を備えていることを特徴とする装飾部材である。
【００７６】
請求項２に記載の発明は、請求項１に記載の装飾部材において、前記複数の表示領域は、複数の副表示部または前記ベースパネルの周縁部にその円周方向に沿って等間隔で設けられた複数の表示マーク部を備えていることを特徴とする装飾部材である。
【００７７】
請求項３に記載の発明は、請求項１または請求項２に記載の装飾部材において、前記ベースパネルの表面には、多数の微細な溝または多数の微細な凹凸によって模様を表現する装飾層が設けられていることを特徴とする装飾部材である。
【００７８】
請求項４に記載の発明は、請求項１〜請求項３のいずれかに記載の装飾部材において、前記装飾パネルの表裏面のうち、少なくとも一方の面には、加色層が設けられていることを特徴とする装飾部材である。
【００７９】
請求項５に記載の発明は、請求項１〜請求項４のいずれかに記載の装飾部材において、前記装飾パネルは、前記ベースパネルの裏面に粘着シートによって接着されていることを特徴とする装飾部材である。
【００８０】
請求項６に記載の発明は、請求項２〜請求項５のいずれかに記載の装飾部材において、前記表示マーク部は、前記ベースパネルの表面から突出するマーク本体と、前記マーク本体の裏面に設けられて前記ベースパネルに設けられた嵌合部に嵌着する取付部と、を備え、前記取付部は、前記ベースパネルの下面から突出しないことを特徴とする装飾部材である。
【００８１】
請求項７に記載の発明は、請求項２〜請求項５のいずれかに記載の装飾部材において、前記表示マーク部は、前記ベースパネルにその表面から突出した状態で一体に形成されていることを特徴とする装飾部材である。
【００８２】
請求項８に記載の発明は、請求項２〜請求項７のいずれかに記載の装飾部材において、前記副表示部は、前記ベースパネルにリング状部が前記ベースパネルの表面から突出した状態で一体に形成されていることを特徴とする装飾部材である。
【００８３】
請求項９に記載の発明は、請求項１〜請求項４、請求項６〜請求項８のいずれかに記載された装飾部材において、前記装飾パネルは、インサート成型によって前記ベースパネルに一体に形成されていることを特徴とする装飾部材である。
【００８４】
請求項１０に記載の発明は、請求項１〜請求項９のいずれかに記載された装飾部材を備えていることを特徴とする文字板である。
【００８５】
請求項１１に記載の発明は、請求項１０に記載された文字板を備えていることを特徴とする時計である。
【００８６】
請求項１２に記載の発明は、請求項１１に記載された時計において、前記文字板は、その中心に設けられて指針軸が挿入する軸孔と、前記複数の副表示部の中心にそれぞれ設けられて副針軸が挿入する複数の軸孔と、を備え、前記表示マーク部は、前記文字板の周縁部に沿って等間隔で設けられた時字であることを特徴とする時計である。
【符号の説明】
【００８７】
１  腕時計ケース
４  時計モジュール
５  ハウジング
６、３０、３５、４０  文字板
７  指針
８ａ  第１の副針
８ｂ  第２の副針
９  第３の副針
１０  ベースパネル
１０ａ  嵌合凹部
１０ｂ  嵌合孔
１１〜１３  第１〜第３の副表示部
１４  表示マーク部
１４ａ  マーク本体
１４ｂ  取付突起部
１４ｃ  足ピン
１５  装飾パネル
１６、２１ａ、２１ｂ、２３  軸孔
１８  第１リング部
１９、２２ａ  金属板
２０、３７  装飾層
２２  曜日表示部
２４、２５  位置決め突起部
３１  加色層
３６  粘着シート
【図１】
2020030215.tif 000003
【図２】
2020030215.tif 000004
【図３】
2020030215.tif 000005
【図４】
2020030215.tif 000006
【図５】
2020030215.tif 000007
【図６】
2020030215.tif 000008
【図７】
2020030215.tif 000009
【図８】
2020030215.tif 000010
【図９】
2020030215.tif 000011
【手続補正書】
【提出日】令和1年11月11日(2019.11.11)
【手続補正１】
【補正対象書類名】明細書
【補正対象項目名】０００６
【補正方法】変更
【補正の内容】
【０００６】
この発明は、副表示部が設けられたベースパネルを備え、前記副表示部は、リング状部が前記ベースパネルの表面から突出した状態で前記ベースパネルに形成されていることを特徴とする装飾部材である。
【手続補正２】
【補正対象書類名】明細書
【補正対象項目名】０００７
【補正方法】変更
【補正の内容】
【０００７】
この発明によれば、バリエーションが豊富で、装飾性に優れ、かつ生産性が良く、低価格化を図ることができる。
【手続補正３】
【補正対象書類名】特許請求の範囲
【補正対象項目名】全文
【補正方法】変更
【補正の内容】
【特許請求の範囲】
【請求項１】
副表示部が設けられたベースパネルを備え、
前記副表示部は、リング状部が前記ベースパネルの表面から突出した状態で前記ベースパネルに形成されていることを特徴とする装飾部材。
【請求項２】
請求項１に記載の装飾部材において、前記ベースパネルの裏面には、装飾パネルが配置されていることを特徴とする装飾部材。
【請求項３】
請求項１または請求項２に記載の装飾部材において、前記ベースパネルの表面には、多数の微細な溝または多数の微細な凹凸によって模様を表現する装飾層が設けられていることを特徴とする装飾部材。
【請求項４】
請求項２に記載の装飾部材において、前記装飾パネルの表裏面のうち、少なくとも一方の面には、加色層が設けられていることを特徴とする装飾部材。
【請求項５】
請求項２または請求項４に記載の装飾部材において、前記装飾パネルは、前記ベースパネルの裏面に粘着シートによって接着されていることを特徴とする装飾部材。
【請求項６】
請求項２、請求項４、請求項５のいずれかに記載の装飾部材において、前記装飾パネルは、インサート成型によって前記ベースパネルに一体に形成されていることを特徴とする装飾部材。
【請求項７】
請求項１〜請求項６のいずれかに記載された装飾部材を備えていることを特徴とする文字板。
【請求項８】
請求項７に記載された文字板を備えていることを特徴とする時計。
【請求項９】
請求項８に記載された時計において、前記文字板は、その中心に設けられて指針軸が挿入する軸孔と、前記副表示部の中心に設けられて副針軸が挿入する軸孔と、を備えていることを特徴とする時計。